(57)【要約】【課題】  表皮一体発泡のカップホルダー付アームレストにおいて、構造簡単にしてパッド成形用の発泡液のカップホルダーの外周から漏出を防止することである。【手段】  表皮Ａに設けてカップホルダーＢを挿入する口の孔縁をカップホルダーＢの外周に均一の張力で張設する外方に湾曲状に膨出する均一形成部２１Ａ、２１Ｂ、２１Ｃ、２１ＣをカップホルダーＢの外周に設けたことを特徴とする。【選択図】            図３
2008114769.tif 000002
【特許請求の範囲】
【請求項１】
カップホルダーを挿入する挿入口付の袋状表皮と、この表皮の挿入口にカップホルダーを挿着して表皮内部にパッド成形用の発泡液を注入して、表皮、カップホルダーと一体にパッドを成形するカップホルダー付のアームレストにおいて、
前記カップホルダーにおける表皮の挿入口に対応する外周に、外方に湾曲状に膨出成形して前記表皮の挿入口の口縁を均一に張設する均一形成部を設け、前記表皮の挿入口はカップホルダーの均一形成部の外周に対して小径に形成してなるカップホルダー付アームレスト。
【請求項２】
前記外周を構成する一外側壁が平面状に形成されているカップホルダーにおいて、その平面状の一外側壁に、外方に突出する湾曲状の均一形成部を設けてなる請求項１記載のカップホルダー付アームレスト。
【請求項３】
前記外周を構成する一外側壁が略Ｗ形に形成されているカップホルダーにおいて、その略Ｗ形の一外側壁に、外方に突出する湾曲状プレートからなる均一形成部を設けてなる請求項１記載のカップホルダー付アームレスト。
【発明の詳細な説明】
【技術分野】
【０００１】
本発明は、自動車用シートに備えられるカップホルダー付アームレスト、詳しくは、カップホルダー付の表皮にパッド成形用の発泡液を注入して表皮とカップホルダーとパッドとを一体に成形してなるアームレストに関する。
【背景技術】
【０００２】
従来のこの種のアームレストは発泡液がカップホルダーの周囲からの漏出防止手段として、例えば、カップホルダーにおける表皮の外部に露出するフランジに、表皮の端末を支持枠で挟持するものが開示されている(特開２０００−２３８５６８号公報)。
【０００３】
【特許文献１】特開２０００−２３８５６８号公報
【発明の開示】
【発明が解決しようとする課題】
【０００４】
以上の表皮の端末をカップホルダーのフランジに挟持する支持枠はアームレスト内に装着するフレームに一体に固設されている。
【０００５】
そのため、フレームの構造が複雑化するばかりか、フレームが、支持枠により大型化し、このフレームを挿入するための表皮に設ける挿入口が大径になり、この挿入口から発泡液が外部に漏出しないように挿入口に発泡液漏出のための構造が必要となる。
【０００６】
また、カップホルダーを挿入する表皮の挿入孔周囲の端末を支持枠とカップホルダーのフランジとで挟持する際の作業性も悪いし、挟持するための押圧手段が必要となる不具合があった。
【０００７】
そこで、本発明は斯様な不具合を解消することを目的とする。
【課題を解決するための手段】
【０００８】
以上の目的を達成するための本発明、カップホルダーにおける表皮の挿入口に対応する外周に、外方に湾曲状に膨出成形して前記表皮の挿入口の口縁を均一に張設する均一形成部を設けてなることを特徴とするものである。
【０００９】
そして、前記外周を構成する一外側壁が平面状に形成されているカップホルダーにおいて、その平面状の一外側壁に、外方に突出する湾曲状の均一形成部を設けるのが好ましい。
【００１０】
また、前記外周を構成する一外側壁が略Ｗ形に形成されているカップホルダーにおいては、その略Ｗ形の一外側壁に、外方に突出する湾曲状プレートからなる均一形成部を設けるようにする。
【発明の効果】
【００１１】
本発明によれば、表皮の挿入口の口縁末全体が均一の張力で引張られてカップホルダーの外周に密接する。そのため、カップホルダーの外周から表皮内に注入した発泡液が外部に漏出しない。
【００１２】
従って、従来品の如き、表皮の挿入口の口縁を挟持部材で挟持する必要がないので、発泡液を注入する前における表皮に対するカップホルダーの組付作業を簡単に行える。
【００１３】
また、前記従来品の如き、フレームに支持枠などの挟持部材を設ける必要もないため、フレームの構造が複雑化、大型化することがない。
【００１４】
更に、カップホルダーの成形時に、その口縁側に均一形成部を同時に成形できるため、カップホルダーの成形性も損なうことがない。
【発明を実施するための最良の形態】
【００１５】
以下、本発明の一実施例を図面に基づいて説明する。
図1は、表皮ＡにカップホルダーＢを挿着する前の状態を示し、表皮Ａは袋状に縫製され、内部に回転軸にフレーム(不図示)が、カップホルダーＢを挿着する前に装着されている。
【００１６】
この表皮Ａには、カップホルダーＢの上部が嵌合できる挿入口Ｈが開口され、この挿入口Ｈより前記フレームなどを表皮Ａ内に装着しても良いし、また、フレームなどを挿入する開口部を別個に設けても良い。
【００１７】
図示するカップホルダーＢは、左、右にカップ収容部１Ｂ、１Ｂを有し、口縁にはフランジ２２が一体に成形されている。図中２０Ａは、カップホルダーＢの外周側壁を形成する略Ｗ形の後側壁を各々示す。
【００１８】
カップホルダーＢの外周側壁下部の外形形状は従来品と同一で、図２に示すように平面状の前側壁２０Ｂ及び平面状の左、右側壁２０Ｃ、２０Ｃ及び前記後側壁２０Ａの４側壁から構成されている。
【００１９】
本発明は、この各側壁２０Ａ、２０Ｂ、２０Ｃ、２０Ｃにおけるフランジ２２側に、均一形成部２１Ａ、２１Ｂ、２１Ｃ、２１Ｃが図３に示すように、一体に成形されている。
【００２０】
前側壁２０Ｂのフランジ２２側に形成する均一形成部２１Ａは、中央部を中心外方に湾曲状に膨出するように、また、同様に左、右側壁２０Ｃ、２０Ｃにも、前記均一形成部２１Ａに連続し、均一形成部２１Ａと同様な形状の均一形成部２１Ｃ、２１Ｃが一体に形成されている。
【００２１】
この均一形成部２０Ｂ、２０Ｃ、２０Ｃに前記表皮Ａの挿入口Ｈの口縁１１が均等の張力で密接する。
【００２２】
なお、従来品は前側壁２０Ｂ、左、右側壁２０Ｃ、２０Ｃをフランジ２２まで延設されているので、各側壁２０Ｂ、２０Ｃ、２０Ｃは表皮Ａの前記口縁１１が接合する部分は前側壁２０Ｂと、左、右側壁２０Ｃ、２０Ｃとの間の角部が直角状など鋭角状になっている。
そのため、このカップホルダーを表皮の挿入口内に挿着すると、カップホルダーの角部に対応する表皮の口縁の張力が強く、その間の表皮の口縁の張力は弱くなるため、表皮内に注入した発泡液が、張力の弱い部分より外部に漏出する。
【００２３】
カップホルダーＢの前記後側壁２０Ａ外周は、Ｗ字状に形成されているため、その凹欠状外周中央部に対応する表皮の口縁は張力が弱くなる。
そこで、図２、３に示すように、中央が外方に膨出するプレートからなる均一形成部２１Ｂを均一形成部２１Ｃ、２１Ｃに連続するように、後側壁２０Ｂのフランジ２２側に一体に設けてある。  
【００２４】
一方、表皮Ａの挿入口Ｈは、前記均一形成部２１Ａ、２１Ｂ、２１Ｃ、２１Ｃの外周に対して相似形でやや小径に形成されている。そして、表皮Ａは従来の自動車用シートの表皮に使用されている伸縮性を有する布地などを使用している。
【００２５】
以上のカップホルダーＢを表皮Ａの挿入口Ｈに挿入して、フランジ２２を表皮Ａの挿入口Ｈの口縁１１上に重ねると、表皮Ａの口縁１１が接合するカップホルダーＢのフランジ２２に沿って設けた均一形成部２１Ａ、２１Ｂ、２１Ｃ、２１Ｃの外周は全体が略長楕円
状に形成されているため、表皮Ａの口縁１１全体が均等に伸長してカップホルダーＢの均一形成部２１Ａ…側に密接して固定される。
【００２６】
カップホルダーＢを表皮Ａの挿入口Ｈに挿着した後、表皮Ａ内にパッド成形用の発泡液を注入して、図４に示すように、パッドＣを表皮Ａ、カップホルダーＢと一体に発泡成形してアームレストを成形型で製造する。
【００２７】
なお、前記カップホルダーＢはその底部２３を表皮Ａに装着したフレーム)(不図示)に固定した後、表皮Ａ内に発泡液を注入するようにしても良い。
【００２８】
また、以上の均一形成部２１Ａ、２１Ｂ、２１Ｃ、２１Ｃはフランジ２２と一体に成形するようにしても良いし、また、図４に示すように各側壁２０Ａ…の肉厚を厚くして形成しても良い。
【図面の簡単な説明】
【００２９】
【図１】カップホルダーの挿着前の状態の斜視図である。
【図２】カップホルダーを裏返した状態の斜視図である。
【図３】カップホルダーの底面図である。
【図４】要部の断面図である。
【符号の説明】
【００３０】
Ａ…表皮、Ｂ…カップホルダー、Ｈ…表皮の挿入口、２０Ａ…外側壁、２０Ｂ…外側壁  
２０Ｃ…外側壁、２１Ａ…均一形成部、２１Ｂ…均一形成部、２１Ｃ…均一形成部。
【図１】
2008114769.tif 000003
【図２】
2008114769.tif 000004
【図３】
2008114769.tif 000005
【図４】
2008114769.tif 000006